(57)【要約】【課題】コストの増加を抑制しつつ、多様な車両の外部情報を効率的に取得する。【解決手段】車両の外部情報を取得するために車両の左前ランプ１ＬＦに搭載される複数種のセンサからなる第一の組合せは、車両の外部情報を取得するために車両の右前ランプ１ＲＦに搭載される複数種のセンサからなる第二の組合せと相違している。【選択図】図２
2019117197.tif 000002
【特許請求の範囲】
【請求項１】
車両に搭載されるセンサシステムであって、
前記車両の左ランプに搭載されて少なくとも前記車両の前後方向における外部情報を取得する第一センサと、
前記車両の右ランプに搭載されて少なくとも前記車両の前後方向における外部情報を取得する第二センサと、
を備えており、
前記第一センサは、複数種のセンサからなる第一の組合せを含んでおり、
前記第二センサは、複数種のセンサからなる第二の組合せを含んでおり、
前記第一の組合せと前記第二の組合せは相違している、
センサシステム。
【請求項２】
前記第一の組合せは、
前記車両の少なくとも前方の情報を検出するカメラと、
前記車両の少なくとも左方の情報を検出するＬｉＤＡＲセンサと、
を含んでおり、
前記第二の組合せは、
前記車両の少なくとも前方の情報を検出するＬｉＤＡＲセンサと、
前記車両の少なくとも右方の情報を検出するＬｉＤＡＲセンサと、
を含んでいる、
請求項１に記載のセンサシステム。
【請求項３】
前記第一の組合せは、前記車両の少なくとも前方の情報を検出するミリ波レーダをさらに含んでおり、
前記第二の組合せは、前記車両の少なくとも前方の情報を検出するカメラをさらに含んでいる、
請求項２に記載のセンサシステム。
【請求項４】
前記第一の組合せは、前記車両の少なくとも前方の情報を検出する超音波センサと前記車両の少なくとも前方の情報を検出するＬｉＤＡＲセンサをさらに含んでおり、
前記第二の組合せは、前記車両の少なくとも前方の情報を検出するミリ波レーダをさらに含んでいる、
請求項３に記載のセンサシステム。
【請求項５】
前記第一の組合せは、
前記車両の少なくとも前方の情報を検出するＬｉＤＡＲセンサと、
前記車両の少なくとも前方の情報を検出するミリ波レーダと、
前記車両の少なくとも左方の情報を検出するＬｉＤＡＲセンサと、
前記車両の少なくとも左方の情報を検出するカメラと、
を含んでおり、
前記第二の組合せは、
前記車両の少なくとも前方の情報を検出するＬｉＤＡＲセンサと、
前記車両の少なくとも前方の情報を検出するカメラと、
前記車両の少なくとも右方の情報を検出するＬｉＤＡＲセンサと、
前記車両の少なくとも右方の情報を検出するカメラと、
を含んでいる、
請求項１に記載のセンサシステム。
【請求項６】
前記第一の組合せは、
前記車両の少なくとも前方の情報を検出するカメラと、
前記車両の少なくとも左方の情報を検出するカメラと、
前記車両の少なくとも左方の情報を検出するミリ波レーダと、
を含んでおり、
前記第二の組合せは、
前記車両の少なくとも前方の情報を検出するＬｉＤＡＲセンサと、
前記車両の少なくとも右方の情報を検出するカメラと、
前記車両の少なくとも右方の情報を検出するミリ波レーダと、
を含んでいる、
請求項１に記載のセンサシステム。
【発明の詳細な説明】
【技術分野】
【０００１】
本開示は、車両に搭載されるセンサシステムに関する。
【背景技術】
【０００２】
特許文献１は、前照灯の灯室内にレーザレーダ装置が配置された構成を開示している。前照灯は、車両の前方を照明する。レーザレーダ装置は、当該車両の前方の情報（前方車両までの距離など）を取得する。
【先行技術文献】
【特許文献】
【０００３】
【特許文献１】日本国特開平５−０２７０３７号公報
【発明の概要】
【発明が解決しようとする課題】
【０００４】
運転支援技術の高度化に伴い、より多様な情報を車両の外部から取得することが求められている。この要求に応えるためには、車両の外部の情報を取得するためのセンサの種別を増やせばよい。しかしながら、センサの種別の増加に伴い、コストの増加を避けられない。
【０００５】
本開示は、コストの増加を抑制しつつ、多様な車両の外部情報を効率的に取得することを目的とする。
【課題を解決するための手段】
【０００６】
上記の目的を達成するための本開示の第一態様は、車両に搭載されるセンサシステムであって、
前記車両の左ランプに搭載されて少なくとも前記車両の前後方向における外部情報を取得する第一センサと、
前記車両の右ランプに搭載されて少なくとも前記車両の前後方向における外部情報を取得する第二センサと、を備えており、
前記第一センサの種別と前記第二センサの種別は相違している。
【０００７】
車両の少なくとも前後方向の情報を取得しようとする場合、左ランプに搭載されるセンサの検出範囲と右ランプに搭載されるセンサの検出範囲の少なくとも一部が重なる場合がありうる。この場合、検出範囲が重なる領域からは、同じ情報が重複して得られることになる。
【０００８】
上記の構成においては、左ランプに搭載されて車両の少なくとも前後の外部情報を取得する第一センサと、右ランプに搭載されて車両の少なくとも前後方向の外部情報を取得する第二センサの種別を敢えて異ならせることにより、同じ情報が重複して得られるという意味においての冗長性を排している。他方、種別が異なる複数のセンサを用いることにより、少なくとも車両の前後方向から取得される外部情報に多様性を持たせている。したがって、コストの増加を抑制しつつ、多様な車両の外部情報を効率的に取得できる。
【０００９】
第一態様に係るセンサシステムは、以下のように構成されうる。
前記第一センサは、複数種のセンサからなる第一の組合せを含んでおり、
前記第二センサは、複数種のセンサからなる第二の組合せを含んでおり、
前記第一の組合せと前記第二の組合せは相違している。
【００１０】
各ランプに搭載されるセンサの種別を増やすことによって、より多様な外部情報を取得できる。他方、左ランプに搭載される複数種のセンサの組合せと右ランプに搭載される複数種のセンサの組合せを相違させることにより、同じ情報が重複して得られるという意味においての冗長性を排している。したがって、コストの増加を抑制しつつ、さらに多様な車両の外部情報を効率的に取得できる。
【００１１】
また、種別の異なる複数のセンサを通じて多様な外部情報を取得することにより、異なる外部情報同士を相補的に利用できるようにしている。
【００１２】
例えば、第一態様に係るセンサシステムは、以下のように構成されうる。
前記第一センサと前記第二センサの一方は、カメラを含んでおり、
前記第一センサと前記第二センサの他方は、ＬｉＤＡＲセンサを含んでいる。
【００１３】
このような構成によれば、カメラにより撮像された物体までの距離を、ＬｉＤＡＲセンサにより取得された情報を用いて正確に特定できる。逆に、ＬｉＤＡＲセンサによって存在を検出された物体の種別（前方車両、歩行者など）を、カメラにより取得された情報を用いて正確に特定できる。
【００１４】
あるいは、第一態様に係るセンサシステムは、以下のように構成されうる。
前記第一センサと前記第二センサの一方は、ミリ波レーダを含んでおり、
前記第一センサと前記第二センサの他方は、ＬｉＤＡＲセンサを含んでいる。
【００１５】
ミリ波レーダは、検出距離が長いことと検出速度が速いことを特徴としている。したがって、まずミリ波レーダによって車両の少なくとも前後方向に位置する物体の存在を検出し、次いでＬｉＤＡＲセンサによって取得された情報を用いて当該物体の属性を正確に特定するという検出手法が可能とされる。
【００１６】
あるいは、第一態様に係るセンサシステムは、以下のように構成されうる。
前記第一センサと前記第二センサの一方は、ミリ波レーダを含んでおり、
前記第一センサと前記第二センサの他方は、超音波センサを含んでいる。
【００１７】
超音波センサは、検出距離が短いものの、部品コストが低いことを特徴としている。他方、ミリ波レーダは、検出距離が長いことと検出速度が速いことを特徴としている。したがって、車両に対して近距離に位置する物体と遠距離に位置する物体の双方を検出可能な構成を、コストを抑制しつつ得ることができる。
【００１８】
あるいは、第一態様に係るセンサシステムは、以下のように構成されうる。
前記第一センサと前記第二センサの一方は、ミリ波レーダを含んでおり、
前記第一センサと前記第二センサの他方は、カメラを含んでいる。
【００１９】
ミリ波レーダは、検出距離が長いことと検出速度が速いことを特徴としている。したがって、まずミリ波レーダによって車両の少なくとも前後方向に位置する物体の存在を検出し、次いでカメラによって取得された情報を用いて当該物体の属性を正確に特定するという検出手法が可能とされる。
【００２０】
上記の目的を達成するための第二態様は、車両に搭載されるセンサシステムであって、
前記車両の左ランプに搭載されて少なくとも前記車両の前後方向における外部情報を取得する第一センサと、
前記車両の右ランプに搭載されて少なくとも前記車両の前後方向における外部情報を取得する第二センサと、を備えており、
前記第一センサの第一検出範囲と前記第二センサの第二検出範囲は相違している。
【００２１】
車両の少なくとも前後方向の情報を取得しようとする場合、左ランプに搭載されるセンサの検出範囲と右ランプに搭載されるセンサの検出範囲の少なくとも一部が重なる場合がありうる。この場合、検出範囲が重なる領域からは、同じ情報が重複して得られることになる。
【００２２】
上記の構成においては、左ランプに搭載されて車両の少なくとも前後方向の外部情報を取得する第一センサの検出範囲と、右ランプに搭載されて車両の少なくとも前後方向の外部情報を取得する第二センサの検出範囲を敢えて異ならせることにより、同じ情報が重複して得られるという意味においての冗長性を排している。他方、検出範囲を異ならせることにより、少なくとも車両の前後方向から取得される外部情報に多様性を持たせている。したがって、コストの増加を抑制しつつ、多様な車両の外部情報を効率的に取得できる。
【００２３】
本開示の第二態様に係るセンサシステムは、以下のように構成されうる。
前記第一センサの種別と前記第二センサの種別は同じである。
【００２４】
このような構成によれば、左ランプに搭載されるセンサの種別と右ランプに搭載されるセンサの種別を異ならせる場合と比較して、部品コストをより抑制できる。
【００２５】
第二態様に係るセンサシステムは、以下のように構成されうる。
前記第一検出範囲と前記第二検出範囲の一方は、他方よりも前記車両の前後方向における検出距離が長く、
前記第一検出範囲と前記第二検出範囲の他方は、一方よりも前記車両の左右方向における検出範囲が広い。
【００２６】
このような構成によれば、第一センサと第二センサの一方の検出範囲の死角を、他方が効率よく補うことができる。
【００２７】
第二態様に係るセンサシステムは、以下のように構成されうる。
前記第一センサと前記第二センサは、カメラ、ＬｉＤＡＲセンサ、ミリ波レーダ、および超音波センサの少なくとも一つを含んでいる。
【００２８】
第一態様に係るセンサシステムと第二態様に係るセンサシステムは、以下のように構成されうる。
前記左ランプに搭載されて少なくとも前記車両の左方の外部情報を取得する第三センサと、
前記右ランプに搭載されて少なくとも前記車両の右方の外部情報を取得する第四センサと、を備えており、
前記第三センサの種別と前記第四センサの種別は同じである。
【００２９】
車両の少なくとも左方から取得しようとする情報の種別と車両の少なくとも右方から取得しようとする情報の種別は同じである一方、車両の少なくとも左方から情報を取得しようとするセンサの検出範囲と車両の少なくとも右方から情報を取得しようとするセンサの検出範囲は重複させにくい。したがって、両センサの種別を一致させることによって、車両の外部情報をより広範囲から正確に取得できる。
【図面の簡単な説明】
【００３０】
【図１】第一実施形態に係るセンサシステムが搭載される車両を示す図である。
【図２】第一実施形態に係るセンサシステムの構成を示す図である。
【図３】第二実施形態に係るセンサシステムの構成を示す図である。
【図４】第三実施形態に係るセンサシステムの構成を示す図である。
【図５】第四実施形態に係るセンサシステムの構成を示す図である。
【図６】第五実施形態に係るセンサシステムの構成を示す図である。
【図７】第六実施形態に係るセンサシステムの構成を示す図である。
【図８】図７のセンサシステムの検出範囲を示す図である。
【発明を実施するための形態】
【００３１】
添付の図面を参照しつつ、本発明に係る実施形態の例について以下詳細に説明する。以下の説明に用いる各図面では、各部材を認識可能な大きさとするために縮尺を適宜変更している。
【００３２】
添付の図面において、矢印Ｆは、図示された構造の前方向を示している。矢印Ｂは、図示された構造の後方向を示している。矢印Ｌは、図示された構造の左方向を示している。矢印Ｒは、図示された構造の右方向を示している。以降の説明に用いる「左」および「右」は、運転席から見た左右の方向を示している。
【００３３】
図１は、実施形態の例に係るセンサシステムが搭載される車両１を模式的に示している。車両１は、左前ランプ１ＬＦと右前ランプ１ＲＦを備えている。
【００３４】
左前ランプ１ＬＦ（左ランプの一例）は、車両１の左前隅部に配置されている。本明細書において「車両１の左前隅部」とは、車両１の前部のうち車両１の左右方向における中央よりも左方に位置する部分を意味する。本明細書において「車両１の前部」とは、車両１の車体における運転席２よりも前方に位置する部分を意味する。
【００３５】
右前ランプ１ＲＦ（右ランプの一例）は、車両１の右前隅部に配置されている。本明細書において「車両１の右前隅部」とは、車両１の前部のうち車両１の左右方向における中央よりも右方に位置する部分を意味する。
【００３６】
図２に示されるように、左前ランプ１ＬＦは、左前灯室３Ｌを区画する左前ランプハウジング４Ｌと左前透光カバー５Ｌを備えている。左前灯室内３Ｌ内には、左前照灯６Ｌが収容されている。左前照灯６Ｌから出射された光は、左前透光カバー５Ｌを通過して少なくとも車両１の前方を照明する。
【００３７】
同様に、右前ランプ１ＲＦは、右前灯室３Ｒを区画する右前ランプハウジング４Ｒと右前透光カバー５Ｒを備えている。右前灯室内３Ｒ内には、右前照灯６Ｒが収容されている。右前照灯６Ｒから出射された光は、右前透光カバー５Ｒを通過して少なくとも車両１の前方を照明する。
【００３８】
第一実施形態に係るセンサシステム１０は、左前カメラ１１とＬｉＤＡＲ（Light Detection and Ranging）センサ１２を備えている。
【００３９】
左前カメラ１１（第一センサの一例）は、左前ランプ１ＬＦの左前灯室３Ｌ内に搭載されている。左前カメラ１１は、車両１の少なくとも前方を撮影する。すなわち、左前カメラ１１は、車両１の少なくとも前方（車両の前後方向の一例）の外部情報を取得するセンサとして機能する。
【００４０】
右前ＬｉＤＡＲセンサ１２（第二センサの一例）は、非可視光を出射する構成、および当該非可視光が車両１の少なくとも前方に存在する物体に反射した結果の戻り光を検出する構成を備えている。本実施形態においては、非可視光として波長９０５ｎｍの赤外光が使用されている。
【００４１】
右前ＬｉＤＡＲセンサ１２は、例えば、ある方向へ非可視光を出射したタイミングから戻り光を検出するまでの時間に基づいて、当該戻り光に関連付けられた物体までの距離を取得できる。また、そのような距離データを検出位置と関連付けて集積することにより、戻り光に関連付けられた物体の形状に係る情報を取得できる。これに加えてあるいは代えて、出射光と戻り光の波長の相違に基づいて、戻り光に関連付けられた物体の材質などの属性に係る情報を取得できる。これに加えてあるいは代えて、例えば路面から戻り光の反射率の相違に基づいて、対象物の色（路面における白線など）に係る情報を取得できる。すなわち、右前ＬｉＤＡＲセンサ１２は、車両１の少なくとも前方（車両の前後方向の一例）の外部情報を取得するセンサとして機能する。
【００４２】
すなわち、センサシステム１０においては、左前ランプ１ＬＦに搭載されるセンサの種別と、右前ランプ１ＲＦに搭載されるセンサの種別が相違している。
【００４３】
車両１の少なくとも前方の情報を取得しようとする場合、左前ランプ１ＬＦに搭載されるセンサの検出範囲と右前ランプ１ＲＦに搭載されるセンサの検出範囲の少なくとも一部が重なる場合がありうる。この場合、検出範囲が重なる領域からは、同じ情報が重複して得られることになる。
【００４４】
本実施形態においては、左前ランプ１ＬＦに搭載されて車両１の少なくとも前方の外部情報を取得するセンサと、右前ランプ１ＲＦに搭載されて車両１の少なくとも前方の外部情報を取得するセンサの種別を敢えて異ならせることにより、同じ情報が重複して得られるという意味においての冗長性を排している。他方、種別が異なる複数のセンサを用いることにより、少なくとも車両１の前方から取得される外部情報に多様性を持たせている。よって、コストの増加を抑制しつつ、多様な車両１の外部情報を効率的に取得できる。
【００４５】
また、種別の異なる複数のセンサを通じて多様な外部情報を取得することにより、異なる外部情報同士を相補的に利用できるようにしている。本実施形態においては、左前ランプ１ＬＦに左前カメラ１１が搭載されており、右前ランプ１ＲＦに右前ＬｉＤＡＲセンサ１２が搭載されている。
【００４６】
このような構成によれば、左前カメラ１１により撮像された物体までの距離を、右前ＬｉＤＡＲセンサ１２により取得された情報を用いて正確に特定できる。逆に、右前ＬｉＤＡＲセンサ１２によって存在を検出された物体の種別（前方車両、歩行者など）を、左前カメラ１１により取得された情報を用いて正確に特定できる。
【００４７】
センサシステム１０は、左前ランプ１ＬＦの左前灯室３Ｌに搭載された左ＬｉＤＡＲセンサ１３を備えている。左ＬｉＤＡＲセンサ１３（第三センサの一例）は、少なくとも車両１の左方の外部情報を取得するように配置されている。
【００４８】
センサシステム１０は、右前ランプ１ＲＦの右前灯室３Ｒに搭載された右ＬｉＤＡＲセンサ１４を備えている。右ＬｉＤＡＲセンサ１４（第四センサの一例）は、少なくとも車両１の右方の外部情報を取得するように配置されている。
【００４９】
すなわち、左前ランプ１ＬＦに搭載されて少なくとも車両１の左方の情報を取得するセンサの種別と、右前ランプ１ＲＦに搭載されて少なくとも車両１の右方の情報を取得するセンサの種別は同じである。
【００５０】
車両１の少なくとも左方から取得しようとする情報の種別と車両１の少なくとも右方から取得しようとする情報の種別は同じである一方、車両１の少なくとも左方から情報を取得しようとするセンサの検出範囲と車両１の少なくとも右方から情報を取得しようとするセンサの検出範囲は重複させにくい。したがって、両センサの種別を一致させることによって、車両１の外部情報をより広範囲から正確に取得できる。
【００５１】
図３は、第二実施形態に係るセンサシステム２０を模式的に示している。第一実施形態に係るセンサシステム１０と同一または同等の構成要素については、同一の参照番号を付与し、繰り返しとなる説明は省略する。
【００５２】
センサシステム２０は、センサシステム１０を参照して説明した構成に加えて、左前ミリ波レーダ２１と右前カメラ２２を備えている。
【００５３】
左前ミリ波レーダ２１（第一センサの一例）は、左前ランプ１ＬＦの左前灯室３Ｌ内に搭載されている。左前ミリ波レーダ２１は、ミリ波を発信する構成、および当該ミリ波が車両１の少なくとも前方に存在する物体に反射した結果の反射波を受信する構成を備えている。本実施形態においては、周波数が７６ＧＨｚのミリ波が使用されている。他の周波数の例としては、２４ＧＨｚ、２６ＧＨｚ、７９ＧＨｚなどが挙げられる。
【００５４】
左前ミリ波レーダ２１は、例えば、ある方向へミリ波を発信したタイミングから反射波を受信するまでの時間に基づいて、当該反射波に関連付けられた物体までの距離を取得できる。また、そのような距離データを検出位置と関連付けて集積することにより、反射波に関連付けられた物体の動きに係る情報を取得できる。すなわち、左前ミリ波レーダ２１は、少なくとも車両１の前方（車両の前後方向の一例）の外部情報を取得するセンサとして機能する。
【００５５】
右前カメラ２２（第二センサの一例）は、右前ランプ１ＲＦの右前灯室３Ｒ内に搭載されている。右前カメラ２２は、少なくとも車両１の前方を撮影する。すなわち、右前カメラ２２は、少なくとも車両１の前方（車両の前後方向の一例）の外部情報を取得するセンサとして機能する。
【００５６】
すなわち、左前ランプ１ＬＦに搭載される複数種のセンサの組合せ（カメラとミリ波レーダ；第一の組合せの一例）と、右前ランプ１ＲＦに搭載される複数種のセンサの組合せ（カメラとＬｉＤＡＲセンサ；第二の組合せの一例）は相違している。
【００５７】
各ランプに搭載されるセンサの種別を増やすことによって、より多様な外部情報を取得できる。他方、左前ランプ１ＬＦに搭載される複数種のセンサの組合せと右前ランプ１ＲＦに搭載される複数種のセンサの組合せを相違させることにより、同じ情報が重複して得られるという意味においての冗長性を排している。したがって、コストの増加を抑制しつつ、さらに多様な車両１の外部情報を効率的に取得できる。
【００５８】
本実施形態においては、左前ランプ１ＬＦに左前ミリ波レーダ２１が搭載されており、右前ランプ１ＲＦに右前ＬｉＤＡＲセンサ１２が搭載されている。これにより、左前ランプ１ＬＦに搭載される複数種のセンサの組合せと右前ランプ１ＲＦに搭載される複数種のセンサの組合せが相違している。すなわち、種別の異なる複数のセンサを通じて取得された外部情報同士を相補的に利用している。
【００５９】
ミリ波レーダは、検出距離が長いことと検出速度が速いことを特徴としている。したがって、まず左前ミリ波レーダ２１によって車両１の少なくとも前方に位置する物体の存在を検出し、次いで右前ＬｉＤＡＲセンサ１２によって取得された情報を用いて当該物体の属性を正確に特定するという検出手法が可能とされる。
【００６０】
図４は、第三実施形態に係るセンサシステム３０を模式的に示している。第二実施形態に係るセンサシステム２０と同一または同等の構成要素については、同一の参照番号を付与し、繰り返しとなる説明は省略する。
【００６１】
センサシステム３０は、センサシステム２０を参照して説明した構成における左前ミリ波レーダ２１に代えて、左前超音波センサ３１、左前ＬｉＤＡＲセンサ３２、および右前ミリ波レーダ３３を備えている。
【００６２】
左前超音波センサ３１（第一センサの一例）は、左前ランプ１ＬＦの左前灯室３Ｌ内に搭載されている。左前超音波センサ３１は、超音波（数十ｋＨｚ〜数ＧＨｚ）を発信する構成、および当該超音波が車両１の少なくとも前方に存在する物体に反射した結果の反射波を受信する構成を備えている。
【００６３】
左前超音波センサ３１は、例えば、ある方向へ超音波を発信したタイミングから反射波を受信するまでの時間に基づいて、当該反射波に関連付けられた物体までの距離を取得できる。また、そのような距離データを検出位置と関連付けて集積することにより、反射波に関連付けられた物体の動きに係る情報を取得できる。すなわち、左前超音波センサ３１は、少なくとも車両１の前方（車両の前後方向の一例）の外部情報を取得するセンサとして機能する。
【００６４】
左前ＬｉＤＡＲセンサ３２（第一センサの一例）は、左前ランプ１ＬＦの左前灯室３Ｌ内に搭載されている。左前ＬｉＤＡＲセンサ３２は、右前ＬｉＤＡＲセンサ１２と同一の構成を有しているため、繰り返しとなる説明は省略する。左前ＬｉＤＡＲセンサ３２は、少なくとも車両１の前方（車両の前後方向の一例）の外部情報を取得するセンサとして機能する。
【００６５】
右前ミリ波レーダ３３（第二センサの一例）は、右前ランプ１ＲＦの右前灯室３Ｒ内に搭載されている。右前ミリ波レーダ３３は、左前ミリ波レーダ２１と同一の構成を有しているため、繰り返しとなる説明は省略する。右前ミリ波レーダ３３は、少なくとも車両１の前方（車両の前後方向の一例）の外部情報を取得するセンサとして機能する。
【００６６】
すなわち、左前ランプ１ＬＦに搭載される複数種のセンサの組合せ（カメラ、超音波センサ、およびＬｉＤＡＲセンサ；第一の組合せの一例）と、右前ランプ１ＲＦに搭載される複数種のセンサの組合せ（カメラ、ＬｉＤＡＲセンサ、およびミリ波レーダ；第二の組合せの一例）は相違している。
【００６７】
各ランプに搭載されるセンサの種別を増やすことによって、より多様な外部情報を取得できる。他方、左前ランプ１ＬＦに搭載される複数種のセンサの組合せと右前ランプ１ＲＦに搭載される複数種のセンサの組合せを相違させることにより、同じ情報が重複して得られるという意味においての冗長性を排している。したがって、コストの増加を抑制しつつ、さらに多様な車両１の外部情報を効率的に取得できる。
【００６８】
本実施形態においては、左前ランプ１ＬＦに左前超音波センサ３１が搭載されており、右前ランプ１ＲＦに右前ミリ波レーダ３３が搭載されている。これにより、左前ランプ１ＬＦに搭載される複数種のセンサの組合せと右前ランプ１ＲＦに搭載される複数種のセンサの組合せが相違している。すなわち、種別の異なる複数のセンサを通じて取得された外部情報同士を相補的に利用している。
【００６９】
超音波センサは、検出距離が短いものの、部品コストが低いことを特徴としている。他方、ミリ波レーダは、検出距離が長いことと検出速度が速いことを特徴としている。したがって、車両１に対して近距離に位置する物体と遠距離に位置する物体の双方を検出可能な構成を、コストを抑制しつつ得ることができる。
【００７０】
図５は、第四実施形態に係るセンサシステム４０を模式的に示している。第二実施形態に係るセンサシステム２０と同一または同等の構成要素については、同一の参照番号を付与し、繰り返しとなる説明は省略する。
【００７１】
センサシステム４０は、左前カメラ１１に代えて第三実施形態に係るセンサシステム３０を参照して説明した左前ＬｉＤＡＲセンサ３２を備えている。
【００７２】
本実施形態においては、左前ランプ１ＬＦに左前ミリ波レーダ２１と左前ＬｉＤＡＲセンサ３２が搭載されており、右前ランプ１ＲＦに右前カメラ２２と右前ＬｉＤＡＲセンサ１２が搭載されている。これにより、左前ランプ１ＬＦに搭載される複数種のセンサの組合せと右前ランプ１ＲＦに搭載される複数種のセンサの組合せが相違している。すなわち、種別の異なる複数のセンサを通じて取得された外部情報同士を相補的に利用している。
【００７３】
前述のように、ミリ波レーダは、検出距離が長いことと検出速度が速いことを特徴としている。したがって、まず左前ミリ波レーダ２１によって車両１の少なくとも前方に位置する物体の存在を検出し、次いで右前カメラ２２によって取得された情報を用いて当該物体の属性を正確に特定するという検出手法が可能とされる。
【００７４】
センサシステム４０は、左カメラ４１をさらに備えている。左カメラ４１（第三センサの一例）は、少なくとも車両１の左方を撮影するように配置されている。すなわち、左カメラ４１は、少なくとも車両１の左方の外部情報を取得するセンサとして機能する。
【００７５】
センサシステム４０は、右カメラ４２をさらに備えている。右カメラ４２（第四センサの一例）は、少なくとも車両１の右方を撮影するように配置されている。すなわち、右カメラ４２は、少なくとも車両１の右方の外部情報を取得するセンサとして機能する。
【００７６】
すなわち、左前ランプ１ＬＦに搭載されて少なくとも車両１の左方の情報を取得する複数のセンサの組合せと、右前ランプ１ＲＦに搭載されて少なくとも車両１の右方の情報を取得する複数のセンサの組合せは同じである。
【００７７】
このような構成によれば、第一実施形態に係るセンサシステム１０を参照して説明した効果に加え、取得できる車両１の外部情報の多様性をさらに増すことができる。
【００７８】
図６は、第五実施形態に係るセンサシステム５０を模式的に示している。第一実施形態に係るセンサシステム１０と同一または同等の構成要素については、同一の参照番号を付与し、繰り返しとなる説明は省略する。
【００７９】
センサシステム５０は、左ＬｉＤＡＲセンサ１３（本図では不図示）に加えてあるいは代えて、第四実施形態に係るセンサシステム４０を参照して説明した左カメラ４１と左ミリ波レーダ５１を備えている。
【００８０】
左ミリ波レーダ５１（第三センサの一例）は、第二実施形態に係るセンサシステム２０の左前ミリ波レーダ２１と同一の構成を有しているため、繰り返しとなる説明は省略する。左ミリ波レーダ５１は、少なくとも車両１の左方の外部情報を取得するように配置されている。
【００８１】
センサシステム５０は、右ＬｉＤＡＲセンサ１４（本図では不図示）に加えてあるいは代えて、第四実施形態に係るセンサシステム４０を参照して説明した右カメラ４２と右ミリ波レーダ５２を備えている。
【００８２】
右ミリ波レーダ５２（第四センサの一例）は、第二実施形態に係るセンサシステム２０の左前ミリ波レーダ２１と同一の構成を有しているため、繰り返しとなる説明は省略する。右ミリ波レーダ５２は、少なくとも車両１の右方の外部情報を取得するように配置されている。
【００８３】
センサシステム５０は、前ミリ波レーダ５３をさらに備えている。前ミリ波レーダ５３は、第二実施形態に係るセンサシステム２０の左前ミリ波レーダ２１と同一の構成を有しているため、繰り返しとなる説明は省略する。前ミリ波レーダ５３は、車両１における左前ランプ１ＬＦと右前ランプ１ＲＦの外側（前バンパーなど）に搭載されている。前ミリ波レーダ５３は、少なくとも車両１の前方の外部情報を取得するように配置されている。
【００８４】
図７は、第六実施形態に係るセンサシステム６０を模式的に示している。第二実施形態に係るセンサシステム２０と同一または同等の構成要素については、同一の参照番号を付与し、繰り返しとなる説明は省略する。
【００８５】
センサシステム６０は、センサシステム２０の左前ミリ波レーダ２１に代えて、左前ＬｉＤＡＲセンサ６１を備えている。
【００８６】
左前ＬｉＤＡＲセンサ６１（第一センサの一例）は、右前ＬｉＤＡＲセンサ１２と同一の構成を有しているため、繰り返しとなる説明は省略する。左前ＬｉＤＡＲセンサ６１は、少なくとも車両１の前方（車両の前後方向の一例）の外部情報を取得するセンサとして機能する。
【００８７】
本実施形態においては、図８に示されるように、左前ＬｉＤＡＲセンサ６１の検出範囲ＡＬ（第一検出範囲の一例）と右前ＬｉＤＡＲセンサ１２の検出範囲ＡＲ（第二検出範囲の一例）が相違している。
【００８８】
車両１の少なくとも前方の情報を取得しようとする場合、左前ランプ１ＬＦに搭載されるセンサの検出範囲と右前ランプ１ＲＦに搭載されるセンサの検出範囲の少なくとも一部が重なる場合がありうる。この場合、検出範囲が重なる領域からは、同じ情報が重複して得られることになる。
【００８９】
本実施形態においては、左前ランプ１ＬＦに搭載されて車両１の少なくとも前方の外部情報を取得するセンサの検出範囲と、右前ランプ１ＲＦに搭載されて車両１の少なくとも前方の外部情報を取得するセンサの検出範囲を敢えて異ならせることにより、同じ情報が重複して得られるという意味においての冗長性を排している。他方、検出範囲を異ならせることにより、少なくとも車両１の前方から取得される外部情報に多様性を持たせている。したがって、コストの増加を抑制しつつ、多様な車両１の外部情報を効率的に取得できる。
【００９０】
特に本実施形態においては、検出範囲ＡＬを有するセンサの種別と検出範囲ＡＲを有するセンサの種別がともにＬｉＤＡＲセンサであり、同一である。
【００９１】
このような構成によれば、左前ランプ１ＬＦに搭載されるセンサの種別と右前ランプ１ＲＦに搭載されるセンサの種別を異ならせる場合と比較して、部品コストをより抑制できる。
【００９２】
より具体的には、図８に示されるように、左前ＬｉＤＡＲセンサ６１の検出範囲ＡＬは、右前ＬｉＤＡＲセンサ１２の検出範囲ＡＲよりも車両１の左右方向に広い。他方、右前ＬｉＤＡＲセンサ１２の検出範囲ＡＲは、左前ＬｉＤＡＲセンサ６１の検出範囲ＡＬよりも車両１の前後方向に長い。
【００９３】
このような構成によれば、左前ＬｉＤＡＲセンサ６１と右前ＬｉＤＡＲセンサ１２の一方の検出範囲の死角を、他方が効率よく補うことができる。
【００９４】
本実施形態においては、左前ランプ１ＬＦと右前ランプ１ＲＦの各々にカメラとＬｉＤＡＲセンサが搭載されており、両ＬｉＤＡＲセンサの検出範囲が相違している。しかしながら、左前ランプ１ＬＦと右前ランプ１ＲＦの各々に搭載されるセンサは、カメラ、ＬｉＤＡＲセンサ、ミリ波レーダ、および超音波センサから少なくとも一種が選ばれうる。したがって、検出範囲が相違するセンサも、カメラ、ＬｉＤＡＲセンサ、ミリ波レーダ、および超音波センサから少なくとも一種が選ばれうる。
【００９５】
上記の実施形態は、本発明の理解を容易にするための例示にすぎない。上記の実施形態に係る構成は、本発明の趣旨を逸脱しなければ、適宜に変更・改良されうる。また、等価物が本発明の技術的範囲に含まれることは明らかである。
【００９６】
第一実施形態から第五実施形態を参照して図示した各構成において、左前ランプ１ＬＦに搭載されるセンサと右前ランプ１ＲＦに搭載されるセンサは左右対称に置き換えられうる。
【００９７】
上記の各実施形態を参照する説明においては、左前ランプ１ＬＦと右前ランプ１ＲＦに搭載されるセンサシステムが例示された。しかしながら、上記の各センサシステムは、図１に示される車両１の左後隅部に配置される左後ランプ１ＬＢと車両１の右後隅部に配置される右後ランプ１ＲＢにも搭載されうる。
【００９８】
本明細書において「車両１の左後隅部」とは、車両１の後部のうち車両１の左右方向における中央よりも左方に位置する部分を意味する。本明細書において「車両１の後部」とは、車両１の車体における運転席２よりも後方に位置する部分を意味する。本明細書において「車両１の右後隅部」とは、車両１の後部のうち車両１の左右方向における中央よりも右方に位置する部分を意味する。
【００９９】
詳細な構成の図示は省略するが、左後ランプ１ＬＢは、左後灯室を区画する左後ハウジングと左後透光カバーを備えている。左後灯室には、尾灯などの光源が配置されている。左前ランプ１ＬＦを参照して説明した車両１の少なくとも前方の情報を取得するための少なくとも一種のセンサは、車両１の少なくとも後方（車両の前後方向の一例）の情報を取得するために、左後灯室内に搭載されうる。
【０１００】
詳細な構成の図示は省略するが、右後ランプ１ＲＢは、右後灯室を区画する右後ハウジングと右後透光カバーを備えている。右後灯室には、尾灯などの光源が配置されている。右前ランプ１ＲＦを参照して説明した車両１の少なくとも前方の情報を取得するための少なくとも一種のセンサは、車両１の少なくとも後方（車両の前後方向の一例）の情報を取得するために、右後灯室内に搭載されうる。
【０１０１】
本開示は、２０１６年９月１５日に出願された日本国特許出願（特願２０１６−１８０５７９号）に開示された内容を適宜援用する。
【図１】
2019117197.tif 000003
【図２】
2019117197.tif 000004
【図３】
2019117197.tif 000005
【図４】
2019117197.tif 000006
【図５】
2019117197.tif 000007
【図６】
2019117197.tif 000008
【図７】
2019117197.tif 000009
【図８】
2019117197.tif 000010